(57)【要約】【課題】パチンコ台の台間部にビジターカード及びメンバーカードを処理するカード処理装置を設ける。【解決手段】ビジターカード挿入口にビジターカードが挿入されたときに所定の処理を許可し、ビジターカード及びメンバーカードが挿入されることなく金銭投入口に所定の真正な金銭が投入されたときに、カードスタッカから１枚のビジターカードを繰出して金額データを書込んで所定の処理を許可し、ビジターカードが挿入されず、かつ、金銭が投入されることなく、メンバーカードが挿入され、そのメンバーカードに残額が記録されているときに所定の処理を許可し、又はその挿入されたメンバーカードの残額が０のときに、金銭が投入されたときにその所定の金銭の金額データを書込んで所定の処理を許可する制御手段を有する。【選択図】      図９
2005319084.tif 000002
【特許請求の範囲】
【請求項１】
金銭投入口から投入された金銭を検銭するとともに、真正と判定された金銭を取込む金銭処理ユニットと、
ビジターカード挿入口から挿入されたビジターカード又は内部に設けられているカードスタッカから繰出されたビジターカードに対して所定のリードライト処理を行うとともに、残額を有するビジターカードをそのビジターカード挿入口へ排出して返却し、残額が０になったビジターカードをそのカードスタッカに回収するビジターカード処理ユニットと、
メンバーカード挿入口から挿入されたメンバーカードに対して所定のリードライト処理を行うメンバーカード処理ユニットと、
前記ビジターカード挿入口にビジターカードが挿入されたときに、所定の処理を許可し、そのビジターカード挿入口にビジターカードが挿入されず、かつ、前記メンバーカード挿入口にメンバーカードが挿入されることなく前記金銭投入口に所定の真正な金銭が投入されたときに、前記カードスタッカから１枚のビジターカードを繰出してその所定の金銭の金額データを書込んで所定の処理を許可し、そのビジターカード挿入口にビジターカードが挿入されず、かつ、その金銭投入口に所定の金銭が投入されることなく、そのメンバーカード挿入口にメンバーカードが挿入され、その挿入されたメンバーカードに残額が記録されているときに、所定の処理を許可し、又はその挿入されたメンバーカードの残額が０のときに、その金銭投入口に所定の真正な金銭が投入されたときにその所定の金銭の金額データを書込んで所定の処理を許可する制御手段と、
を有することを特徴とするカード処理装置。
【請求項２】
請求項１に記載のカード処理装置において、金銭処理ユニット、ビジターカード処理ユニット及びメンバーカード処理ユニットは、パチンコ台等の所定の遊技台間の台間部に設けられていることを特徴とするカード処理装置。
【請求項３】
請求項１又は２に記載のカード処理装置において、所定の処理は、パチンコ等の所定の遊技処理であることを特徴とするカード処理装置。
【請求項４】
請求項１〜３のいずれかに記載のカード処理装置において、ビジターカード及びメンバーカードは、非接触型ＩＣカードからなることを特徴とするカード処理装置。
【発明の詳細な説明】
【技術分野】
【０００１】
本発明はカード処理装置に係り、特に、パチンコ店等の遊技場に好適なカード処理装置に関する。
【背景技術】
【０００２】
近年、パチンコ店やスロットマシン等の遊技場では、顧客（遊技者）の利便向上を図るとともに、遊技場経営の効率化を図るために磁気券等からなるカードが採用されるようになってきており、そのためのカード処理装置も提案されている（特許文献１，２参照）。  
【０００３】
上記提案に係るカード処理装置は、いずれもカードを積層して収納するカードスタッカと、そのカードスタッカの下部からカードを出入れする繰出機構が設けられている。したがって、カードスタッカ内のカードを繰返し使用することができ、また、そのカードスタッカ内にカードを収納することができる。
【特許文献１】特許第３４９６４２９号公報
【特許文献２】実開平７−４４７１号公報
【発明の開示】
【発明が解決しようとする課題】
【０００４】
上述のように、近年、パチンコ店やスロットマシン等の遊技場では、カードが用いられるようになってきているが、遊技場ではリピータの遊技者（顧客）を確保するために、遊技者にメンバーカードを発行し、そのメンバーカードを所持している遊技者、すなわちメンバーの場合は、例えば、景品の交換率をそのメンバーカードを所持していない新規な遊技者、すなわちビジターよりも高くなるような特別な利益を与えるようにしている。
【０００５】
このように、遊技場がメンバーカードを採用している場合、メンバーの所持するメンバーカード及びビジターの使用するビジターカードを効率よく処理できるカード処理装置の出現が待たれていた。
【０００６】
そこで、本発明は、上記要望に応えるためになされたものであって、その目的は、メンバーカード及びビジターカードを効率よく処理することができるようにしたカード処理装置を提供することにある。
【課題を解決するための手段】
【０００７】
本発明に係るカード処理装置は、上記目的を達成するために、請求項１に記載の発明は、金銭投入口から投入された金銭を検銭するとともに、真正と判定された金銭を取込む金銭処理ユニットと、ビジターカード挿入口から挿入されたビジターカード又は内部に設けられているカードスタッカから繰出されたビジターカードに対して所定のリードライト処理を行うとともに、残額を有するビジターカードをそのビジターカード挿入口へ排出して返却し、残額が０になったビジターカードをそのカードスタッカに回収するビジターカード処理ユニットと、メンバーカード挿入口から挿入されたメンバーカードに対して所定のリードライト処理を行うメンバーカード処理ユニットと、前記ビジターカード挿入口にビジターカードが挿入されたときに、所定の処理を許可し、そのビジターカード挿入口にビジターカードが挿入されず、かつ、前記メンバーカード挿入口にメンバーカードが挿入されることなく前記金銭投入口に所定の真正な金銭が投入されたときに、前記カードスタッカから１枚のビジターカードを繰出してその所定の金銭の金額データを書込んで所定の処理を許可し、そのビジターカード挿入口にビジターカードが挿入されず、かつ、その金銭投入口に所定の金銭が投入されることなく、そのメンバーカード挿入口にメンバーカードが挿入され、その挿入されたメンバーカードに残額が記録されているときに、所定の処理を許可し、又はその挿入されたメンバーカードの残額が０のときに、その金銭投入口に所定の真正な金銭が投入されたときにその所定の金銭の金額データを書込んで所定の処理を許可する制御手段と、を有することを特徴としている。
本発明の請求項２に記載のカード処理装置は、金銭処理ユニット、ビジターカード処理ユニット及びメンバーカード処理ユニットは、パチンコ台等の所定の遊技台間の台間部に設けられていることを特徴としている。
本発明の請求項３に記載のカード処理装置は、所定の処理は、パチンコ等の所定の遊技処理であることを特徴としている。
本発明の請求項４に記載のカード処理装置は、ビジターカード及びメンバーカードは、非接触型ＩＣカードからなることを特徴としている。
【発明の効果】
【０００８】
本発明の請求項１に記載のカード処理装置は、金銭投入口から投入された金銭を検銭するとともに、真正と判定された金銭を取込む金銭処理ユニットと、ビジターカード挿入口から挿入されたビジターカード又は内部に設けられているカードスタッカから繰出されたビジターカードに対して所定のリードライト処理を行うとともに、残額を有するビジターカードをそのビジターカード挿入口へ排出して返却し、残額が０になったビジターカードをそのカードスタッカに回収するビジターカード処理ユニットと、メンバーカード挿入口から挿入されたメンバーカードに対して所定のリードライト処理を行うメンバーカード処理ユニットと、前記ビジターカード挿入口にビジターカードが挿入されたときに、所定の処理を許可し、そのビジターカード挿入口にビジターカードが挿入されず、かつ、前記メンバーカード挿入口にメンバーカードが挿入されることなく前記金銭投入口に所定の真正な金銭が投入されたときに、前記カードスタッカから１枚のビジターカードを繰出してその所定の金銭の金額データを書込んで所定の処理を許可し、そのビジターカード挿入口にビジターカードが挿入されず、かつ、その金銭投入口に所定の金銭が投入されることなく、そのメンバーカード挿入口にメンバーカードが挿入され、その挿入されたメンバーカードに残額が記録されているときに、所定の処理を許可し、又はその挿入されたメンバーカードの残額が０のときに、その金銭投入口に所定の真正な金銭が投入されたときにその所定の金銭の金額データを書込んで所定の処理を許可する制御手段とを有するので、ビジターカード及びメンバーカードを効率よく処理することができる。
本発明の請求項２に記載のカード処理装置は、金銭処理ユニット、ビジターカード処理ユニット及びメンバーカード処理ユニットをパチンコ台等の所定の遊技台間の台間部に設けられているので、台間でビジターカード及びメンバーカードの両方を処理することができる。
本発明の請求項３に記載のカード処理装置は、所定の処理がパチンコ等の所定の遊技処理であるので、ビジターカード又はメンバーカードを用いてパチンコ等の遊技を効率よく行うことができる。
本発明の請求項４に記載のカード処理装置は、ビジターカード及びメンバーカードが非接触型ＩＣカードからなるので、記憶容量が大きくデータ処理を効果的に行うことができる。
【発明を実施するための最良の形態】
【０００９】
以下、本発明を実施するための最良の形態を図面に基づいて説明する。図１は、本発明の一実施の形態に係るカード処理装置を適用したパチンコ台の遊技島の一部の正面図、図２は、台間部の縦断面拡大図であり、各パチンコ台Ｐ，Ｐ…の台間部Ｐ′，Ｐ′…には、金銭処理ユニットａ，ａ…、ビジターカード処理ユニットｂ，ｂ…及びメンバーカード処理ユニットｃ，ｃ…がそれぞれ組込まれている。
【００１０】
各台間部Ｐ′，Ｐ′…の構成は同一なので、一つの台間部Ｐ′を例に説明すると、台間部Ｐ′には、上から下に向けて、順に、台間部Ｐ′に組込まれている上記各ユニットａ，ｂ，ｃの稼動状態を表示する表示灯１、パチンコ玉の購入代金の紙幣を投入する紙幣投入口２、投入金額や残額等の所定の内容を表示する表示画面３、後述するメンバーカードの識別情報等の所定の内容を入力するためのテンキー４、保守点検時に台間部Ｐ′を手前に引出し可能とするためのロック機構５を解錠するためのキーを挿入するためのキー穴５ａ、パチンコ玉（図示せず）を上皿に排出する玉払出６、後述するビジターカードを挿入するためのビジターカード挿入口７及びパチンコ店の所定の会員に対して発行されている後述するメンバーカードを挿入するためのメンバーカード挿入口８が設けられている。
【００１１】
上記金銭処理ユニットａは、周知のＣＰＵを中心に形成されたビルチェッカを備えた金銭処理ユニットと同様に、紙幣投入口２から投入された紙幣からなる金銭を図示しないローラ群からなる搬送路を介して取込み、その取込んだ金銭、すなわち千円札、２千円札、５千円札又は１万円札をその金銭処理ユニットａに組込まれているビルチェッカにより検銭し、真正と判定された金銭のみを搬送路を介して収納箱（図示せず）へ収納できるように構成されている。なお、投入された金銭が真正でないと判定されたとき、その投入された金銭は、搬送路を介して紙幣投入口２に排出されて返却される。また、ここでは、受入れる金銭として紙幣のみを示したが硬貨を受入れるようにしてもよい。
【００１２】
図３は、ビジターカード処理ユニットｂの概略構成図、図４は、図３のＡ−Ａ線拡大断面図、図５は、図３のＢ−Ｂ線拡大断面図である。図中、Ｃ1 は、非接触式のビジターカードであって、無線通信機能を備えたＩＣカードから構成され、その平面形状は、図３の右側上部に示されるように長方形（短冊形）を呈していて、その短辺の長さは、台間部Ｐ′の幅よりも少し小さく、例えば２５ｍｍに形成され、その長辺の長さは、例えば６０ｍｍに形成されている。そして、このビジターカードＣ1 の内部には、後述する電気回路が内蔵されている。
【００１３】
図中、１０は、ビジターカード処理ユニットｂのフレームＦに設けられたカードスタッカであって、上述のように、平面形状が長方形のビジターカードＣ1 を複数枚（例えば５０枚）積層して収納できる空間を有し、かつ、上部及び下部がそれぞれ開口して形成されている。このカードスタッカ１０には、カードスタッカ１０内の満杯を検出するセンサ１１及びニアエンドを検出するセンサ１２が設けられている。これらセンサ１１，１２は反射型センサ又は透過型センサ等の周知のセンサを用いることができる。
【００１４】
このカードスタッカ１０は、カードスタッカ１０内へのビジターカードＣ1 の供給（補給）又は取出しを容易にするために、側壁面の一部（図３の例では正面側の側壁面）が一辺（例えば下辺）を回転軸として開閉できるように構成されている。したがって、台間部Ｐ′が図１において手前に引出されたときに、その側壁面を開けてビジターカードＣ1 の補給又は取出しを容易に行うことができる。なお、図中、１３は、カードスタッカ１０内に積層されているビジターカードＣ1 の浮き上がりを防止するための重り（ウエイト）である。また、このカードスタッカ１０の下部の後述する搬送路側には、ビジターカードＣ1 を１枚ずつ繰出しができ、さらに、その搬送路側からのビジターカードＣ1 を受入れることができる間隙が厚み規制プレート１０ａによって形成されている。
【００１５】
図中、１４は、カード繰出・収納機構であって、上記カードスタッカ１０の下部に設けられている。このカード繰出・収納機構１４には、カードスタッカ１０の下部の開口面に位置するアイドリングローラ１５及び繰出ローラ１６が設けられている。これら両ローラ１５，１６のローラ上面を結ぶ方向は、後述する搬送路の搬送方向と一致するように設けられ、さらに、これらローラ１５，１６のうち、アイドリングローラ１５は、フレームＦに設けられている支軸１７に回動自在に設けられている。また、繰出ローラ１６は、フレームＦに設けられている支軸１６ａに回転自在に設けられていて、円周の一部が切欠かれた形状を呈し、アイドリングローラ１５と所定の間隔を保ち、かつ、後述する搬送路側に設けられている。上述から明らかなように、これら両ローラ１５，１６は、カードスタッカ１０内に収納されているビジターカードＣ1 を載置するように、つまり、カードスタッカ１０の底面を形成する働きを有している。
【００１６】
図中、１８は、Ｌ字状を呈したレバーであって、上記アイドリングローラ１５の支軸１７に回転自在に軸支されている。そして、このレバー１８の一方の片１８ａは、繰出ローラ１６側まで伸びてその繰出ローラ１６を中間に挟むように配置されているとともに（図４参照）、他方の片１８ｂは、アイドリングローラ１５の下方に伸びてフレームＦに固定されているソレノイド１９のロッド１９ａに接続されている。そして、このソレノイド１９が駆動されてロッド１９ａが縮小したときに（図３の二点鎖線参照）、少なくともカードスタッカ１０内の繰出ローラ１６側（搬送路側）のビジターカードＣ1 をビジターカードＣ1 の１枚分の厚さ以上の距離、持上げることができるようにレバー１８の大きさ及びソレノイド１９のロッド１９ａの駆動長さが決められている。また、レバー１８の他方の片１８ｂの近くのフレームＦには、このレバー１８が作動したとき、すなわち、ソレノイド１９が駆動したことを検知するリミットスイッチからなるスイッチ２０が設けられている。
【００１７】
図中、２１は、搬送路であって、この搬送路２１は、上記ビジターカード挿入口７と上記アイドリングローラ１５及び繰出ローラ１６の上面位置とを結ぶ線上に形成され、ビジターカードＣ1 の長手方向の長さ（以下、この長さを「カード長さ」という。）よりも少し短い所定の間隔を保って設けられた一対のローラ２１ａ，２１ｂにより構成されている。また、これらローラ２１ａ，２１ｂには、ビジターカードＣ1 をローラ２１ａ，２１ｂ側に押圧するピンチローラ２２ａ，２２ｂがそれぞれ設けられている。すなわち、これらピンチローラ２２ａ，２２ｂは、ローラ２１ａ，２１ｂ側に向かってそれぞれ移動自在に軸支されているとともに、ばね２３ａ，２３ｂにより、常時、ピンチローラ２２ａ，２２ｂをローラ２１ａ，２１ｂに向けて付勢できるように構成されている。そして、これら一対のローラ２１ａ，２１ｂ、カード挿入口７及び繰出ローラ１６の配置関係は、一対のローラ２１ａ，２１ｂ間は、上述したようにビジターカードＣ1 のカード長さより短く決められている。そして、これら一対のローラ２１ａ，２１ｂのうち、ビジターカード挿入口７側のローラ２１ａとそのビジターカード挿入口７との間隔は、カード長さよりも十分に近い間隔となるように決められているとともに、一対のローラ２１ａ，２１ｂのうちの繰出ローラ１６側のローラ２１ｂとその繰出ローラ１６との間隔は、カード長さよりも短い所定の間隔となるように決められている。したがって、ビジターカード挿入口７及びアイドリングローラ１５間にビジターカードＣ1 が位置したときは、常時、いずれかのローラに位置することができる。
【００１８】
図中、Ｍはモータであって、ステッピングモータあるいはサーボモータ等の比較的精密な回転数の制御ができ、また、回転軸Ｍ′を時計方向に回転（以下、この回転を「正転」という。）させるとともに、その回転軸Ｍ′を反時計方向に回転（以下、この回転を「逆転」という。）させることができるモータにより構成されている。そして、このモータＭの回転は、モータＭの回転軸Ｍ′に設けられた歯車２４及びこの歯車２４に螺合されている歯車２５を介してその歯車２５と同軸で一体化されているプーリ２６に伝達されるように構成されている。
【００１９】
プーリ２６は、上記ローラ２１ａと同軸で、かつ、そのローラ２１ａと一体化されているプーリ２７とタイミングベルトからなるベルト２８を介して連結され、このプーリ２７は、上記ローラ２１ｂと同軸で、かつ、そのローラ２１ｂと一体化されているプーリ２９とタイミングベルトからなるベルト３０を介して連結され、そして、このプーリ２９は、上記繰出ローラ１６と同軸で、かつ、その繰出ローラ１６と一体化されているプーリ３１とタイミングベルトからなるベルト３２を介して接続されている。したがって、モータＭが正転したときは、ビジターカードＣ1 をビジターカード挿入口７側からカードスタッカ１０側（カード繰出・収納機構１４側）へ搬送することができ、他方、そのモータＭが逆転したときは、ビジターカードＣ1 をカードスタッカ１０側（カード繰出・収納機構１４側）からビジターカード挿入口７側へ向けて搬送することができる。なお、図４及び図５では、図面を簡略化するために、上述のプーリ及びベルトは省略されている。
【００２０】
図中、３３ａ〜３３ｃは、光電素子からなるセンサである。これらセンサ３３ａ〜３３ｃのうちセンサ３３ａ，３３ｃは、上記両ローラ２１ａ，２１ｂの外側にそれぞれ位置するように配置され、残りのセンサ３３ｂは、両ローラ２１ａ，２１ｂのほぼ中間位置となるように配置されている。したがって、これらセンサ３３ａ〜３３ｃは、両ローラ２１ａ，２１ｂを介して搬送されるビジターカードＣ1 が光線を遮光することによりビジターカードＣ1 の搬送位置を検出することができる。
【００２１】
図中、３４は、上記両ローラ２１ａ，２１ｂ間、すなわち、搬送路の途中に設けられたアンテナであって、後述する制御器とビジターカードＣ1 との間で非接触でデータ授受を行うときに用いられ、後述するリーダライタに接続されている。
【００２２】
図６は、メンバーカード処理ユニットｃの概略構成図、図７は、図６のＡ−Ａ線断面図である。図中、Ｃ2 は、周知の銀行カードや列車の定期券と同じ平面形状及び厚さを有する、上記ビジターカードＣ1 と同様の非接触券からなるメンバーカードである。このメンバーカードＣ2 は、パチンコ台Ｐを設置しているパチンコ店の会員に対して発行されたもので、このメンバーカードＣ2 を所持している遊技者は、特別な利益、例えば、景品交換時にこのメンバーカードＣ2 を所持していない遊技者、つまりビジターよりも有利な条件で景品交換ができる等の所定の特典が受けられるように運用されている。
【００２３】
図中、４０は、上記メンバーカードＣ2 の大部分を受入れる空間４１を有する筐体である。すなわち、この筐体４０は、メンバーカード挿入口８からメンバーカードＣ2 が挿入されたときに、そのメンバーカードＣ2 の一部分が台間部Ｐ′の面から突出できる空間４１を有するように決められている。そして、この空間４１のメンバーカード挿入口８と対向する位置には、メンバーカードＣ2 が挿入されたときに作動するリミットスイッチからなるスイッチ４２が設けられている。
【００２４】
図中、４３，４３は、筐体４０内に挿入されたメンバーカードＣ2 を保持する板ばねからなる押え片であり、メンバーカードＣ2 が筐体４０の空間４１内のスイッチ４２を駆動できる位置まで挿入されたときに、その挿入状態を保持できるように構成されている。また、図中、４５はアンテナであって、筐体４０の側面に設けられている。このアンテナ４５は、後述する制御器とメンバーカードＣ2 との間で非接触でデータ授受を行うときに用いられ、後述するリーダライタに接続されている。
【００２５】
図２中、ｄは、カード処理装置を統括的に制御するための、本発明の制御手段を担う制御器（図１では省略されている。）である。そして、図８は、この制御器ｄ及び上記両カードＣ1 ，Ｃ2 の電気的構成を示すブロック図である。先ず、制御器ｄ側から説明すると、この制御器ｄは、ＲＯＭ５０に格納されているシステムプログラムデータ及びＲＡＭ５１に格納されているワーキングデータを用いて所定の演算処理を行う中央処理部（ＣＰＵ）５２を有している。
【００２６】
上記ＣＰＵ５２は、Ｉ／Ｏユニット５３を介してモータＭを駆動制御するモータドライバ５４と、ソレノイド１９を駆動制御するソレノイドドライバ５５と、センサ３３ａ〜３３ｃのセンサ出力を入力するセンサアンプ５６と、上記アンテナ３４，４５を接続しているリーダライタ５７と、金銭処理ユニットａ及び図示しないホストコンピュータからなる上位装置側と通信を行うための通信制御部５８を接続している。このリーダライタ５７は、各カードＣ1 ，Ｃ2 に記録されているカードＩＤや金額データ等の所定のカードデータを読取るとともに、各カードＣ1 ，Ｃ2 に対して新たなカードデータを記録（書込み）し、さらに、各カードＣ1 ，Ｃ2 に対して電力波を供給できるように構成されている。また、このリーダライタ５７は、２つのアンテナ３４，４５を接続しているが、リーダライタは、各アンテナ３４，４５毎に有するようにしてもよい。なお、上記Ｉ／Ｏユニット５３には、カードスタッカ１０内のビジターカードＣ1 を検出するためのセンサドライバやスイッチ２０，４２の信号を入力する入力ドライバ等も接続されているが、ここでは省略されている。
【００２７】
ビジターカードＣ1 及びメンバーカードＣ2 の電気的構成は同じなので、ビジターカードＣ1 を例に説明すると、ビジターカードＣ1 は、周知の無線通信機能を有する非接触型ＩＣカードと同様に構成されている。すなわち、このビジターカードＣ1 は、ビジターカード処理ユニットｂ側とアンテナ６０を介して通信を行う通信制御部６１と、所定の演算処理を行うＣＰＵ６２と、カードＩＤ、金額データ及び所定のプログラムデータ等のカードデータを記録するメモリ６３と、ビジターカード処理ユニットｂ側から電力波を受けてビジターカードＣ1 の駆動電源を生成する電力生成回路６４とを含んで構成されている。  
【００２８】
以下、図９〜図１１のフローチャートを用いて制御動作について説明する。今、ある遊技者が遊技を行おうとしているものとする。そして、その遊技者がメンバーカード挿入口８にメンバーカードＣ2 を挿入したとする（ステップ１００否定、ステップ１０２肯定。以下、ステップを「Ｓ」とする。）。
【００２９】
メンバーカード挿入口８にメンバーカードＣ2 が挿入され、その挿入が所定位置、つまり、筐体４０の奥に設けられているスイッチ４２が動作する位置まで挿入されると、アンテナ４５を介してのカードデータの読取りが開始されてメンバーカードＣ2 のカード処理が行われる（Ｓ１０４肯定、Ｓ１０６）。このメンバーカードＣ2 のカード処理については後述する。
【００３０】
メンバーカード挿入口８にメンバーカードＣ2 が挿入されることなく、ビジターカード挿入口７にビジターカードＣ1 が挿入されたとき（Ｓ１０４否定）、又はそのビジターカード挿入口７にビジターカードＣ1 が挿入されることなく金銭投入口２に所定の真正な金銭が投入されたときは（Ｓ１００肯定）、ビジターカードＣ1 のカード処理が開始される（Ｓ１０８）。なお、このビジターカードＣ1 のカード処理については後述する。
【００３１】
図９のフローチャートでは省略されているが、メンバーカード挿入口８に他店のメンバーカード等の正規でないメンバーカードＣ2 が挿入されたときは、アンテナ４５を介して得られたＣＰＵ５２の所定の演算処理により、メンバーカードＣ2 が正規なメンバーカードと判定されないので、この場合は、表示画面３に正規なメンバーカードの挿入案内が行われる。また、メンバーカード挿入口８に正規なビジターカードＣ1 が挿入されたときは、表示画面３にそのビジターカードＣ1 をビジターカード挿入口７に挿入するようにとの案内が行われる。なお、メンバーカードＣ2 は、ビジターカード挿入口７に物理的に挿入できない形態を有しているので、メンバーカードＣ2 がビジターカード挿入口７に誤挿入されることはない。
【００３２】
次に、図１０のフローチャートを用いて正規なメンバーカードＣ2 がメンバーカード挿入口８に挿入されたときの制御動作を説明する。メンバーカードＣ2 がメンバーカード挿入口８に挿入されると（Ｓ２００肯定）、表示画面３にはメンバーカードＣ2 の遊技者にそのメンバーカードＣ2 の発行の際に割当てられている暗証番号の入力案内が行われる。テンキー４を介して所定の暗証番号が入力されると（Ｓ２０２）、その入力された暗証番号は通信制御部５８を介して図示しない事務室等の所定の中央に設けられている上位装置に送信されてその上位装置において暗証番号の照合処理が行われる。この上位装置には、メンバーカード発行時のデータが記憶されているので、カードＩＤと入力された暗証番号等を用いて挿入されたメンバーカードＣ2 の所持者（遊技者）の正当性が判定される（Ｓ２０４）。もちろん、この照合処理は、ＣＰＵ５２において上位装置から得られたデータに基づいて行うこともできる。
【００３３】
挿入されたメンバーカードＣ2 と遊技者との照合が得られたときは（Ｓ２０６肯定）、その遊技者の遊技が許可される。したがって、その遊技者は、メンバーカードＣ2 に記録されている金額の範囲内で遊技を行うことができる。また、遊技の開始に当たってメンバーカードＣ2 の残額が０のときは、金銭投入口２に所定の金銭を投入することにより、メンバーカードＣ2 に投入された金額に相当する金額データが書込まれて遊技が可能となる。さらに、遊技の途中、メンバーカードＣ2 の残額が０になったときは、金銭投入口２に金銭を投入すれば、メンバーカードＣ2 に投入された金額に相当する金額が書込まれるので、遊技を続行することができる。
【００３４】
メンバーカードＣ2 を用いて遊技を行っている遊技者が遊技を終了して、又は他のパチンコ台Ｐに移動しようとするときは、メンバーカード挿入口８からメンバーカードＣ2 が抜取られる（Ｓ２０８肯定、Ｓ２１０）。この抜取られる時点において、メンバーカードＣ2 に残額があれば、当然にその残額に相当する金額データが書込まれているので、遊技者は、その残額を用いて、再度、遊技を楽しむことができる。また、その残額に相当する金銭の返却を受けたいときは、図示しない自動精算機に挿入して返金を受け取ることができる。
【００３５】
なお、上述の暗証番号入力において誤った暗証番号を入力したときは、当然に、メンバーカード挿入口８に挿入されたメンバーカードＣ2 と遊技者との照合一致が得られないので、表示画面３には、挿入されたメンバーカードＣ2 は使用できない旨と返却案内が行われる。したがって、メンバーカードＣ2 の不正使用は効果的に防止される（Ｓ２０６否定、Ｓ２０７）。また、上位装置に紛失届があったメンバーカード等の、いわゆるネガティブデータを記憶しておくことにより、メンバーカードの不正使用を一層防止することもできる。
【００３６】
次に、図１１を用いてビジターカードＣ1 の制御動作について説明する。今、上述のメンバーカードＣ2 を所持していない遊技者が遊技を行おうとしているものとする。その遊技者（ビジター）によって紙幣投入口２に所定金額の紙幣が投入され（Ｓ３００肯定）、その投入された紙幣が金銭処理ユニットａにおいて真正な紙幣と判定されると（Ｓ３０２肯定）、投入された紙幣は遊技島内の図示しない所定の場所に搬送されて収納される。もちろん、投入された紙幣が真正なものと判定されないときは返却される（Ｓ３０２否定、Ｓ３０３）。
【００３７】
真正な所定金額の紙幣が受入れられると、モータＭが逆転を開始して繰出ローラ１６が回転し、カードスタッカ１０内から１枚のビジターカードＣ1 が繰出され、その繰出されたビジターカードＣ1 の搬送が開始される（Ｓ３０２肯定、Ｓ３０４）。この際、センサ３３ｂがビジターカードＣ1 を検出した時点でモータＭが停止されるとともに、ソレノイド１９が駆動されてレバー１８が上昇させられる。これにより、２枚以上のビジターカードＣ1 の繰出しが防止される。次いで、モータＭの逆転が再度開始され、センサ３３ｃがビジターカードＣ1 を検出しなくなった時点でモータＭが停止される。この時点でビジターカードＣ1 は、センサ３３ｂで検出され、センサ３３ａ，３３ｃで検出されない位置、すなわち、アンテナ３４に最も接近した位置となり、これらセンサ３３ａ〜３３ｃのこのような検出条件の下に、ビジターカードＣ1 はアンテナ位置に位置したと判定されて（Ｓ３０６肯定）次のリードライト処理が開始される。なお、センサ３３ｃがビジターカードＣ1 を検出しなくなった時点でソレノイド１９が駆動を停止し、レバー１８は、積層されているビジターカードＣ1 及び重り１３により回動し、カードスタッカ１０内のビジターカードＣ1 の持上げは解消される。そして、レバー１８が図３の実線位置に復帰したことがスイッチ２０により確認される。
【００３８】
さて、ビジターカードＣ1 がアンテナ３４に対向すると、ビジターカードＣ1 に対するリーダライタ、すなわち、ビジターカードＣ1 に対するカードデータの読取り及び新たなカードデータの書込みが行われるが、この際、リーダライタがノイズの影響を受けることなく正常に行われるようにするために、アンテナ３４の近辺に位置する部材の電源はＯＦＦとされる。したがって、モータＭ、ソレノイド１９の電源はＯＦＦとされる（Ｓ３０８）。
【００３９】
ビジターカードＣ1 に対する新たなカードデータの書込みは、ビジターカードＣ1 から読取られたカードＩＤを特定して紙幣投入口２から投入された紙幣の金額を所定の暗号化処理の下に行われる（Ｓ３１０）。この新たなカードデータは、ビジターカードＣ1 のメモリ６３に書込まれるだけでなく、制御器ｄのＲＡＭ５１及びこの制御器ｄを介してパチンコ店全体の制御器ｄ，ｄ…を管理する上位装置にも記憶される。
【００４０】
ビジターカードＣ1 に新たなカードデータが書込まれると、遊技者による遊技が可能となる。すなわち、テンキー４を介して所定の信号を入力することにより紙幣投入口２から投入した紙幣の金額の範囲内でパチンコ玉を排出して遊技することができる。この遊技においてビジターカードＣ1 の金額が０になると（Ｓ３１２肯定）、ビジターカードＣ1 はカードスタッカ１０へ回収される（Ｓ３１４）。この回収は、先ず、ソレノイド１９が駆動してレバー１８が持上げられ、これによりカードスタッカ１０内のビジターカードＣ1 の繰出ローラ１６側が持上げられる。次いで、モータＭが正転され、この正転は、ビジターカードＣ1 がセンサ３３ｂで検出されなくなるまで続けられる。センサ３３ｂがビジターカードＣ1 を検出しなくなった時点におけるビジターカードＣ1 の搬送方向側の先端位置は、カードスタッカ１０の下部に位置した状態にある。したがって、モータＭが停止し、ソレノイド１９も駆動が停止させられると、アンテナ３４側から搬送されてきたビジターカードＣ1 の一部は、カードスタッカ１０の積層状態のビジターカードＣ1 の最も下側に食い込んだ状態に置かれる。次いで、モータＭの正転が再び開始されてビジターカードＣ1 が繰出ローラ１６によりカードスタッカ１０内に押込まれ、センサ３３ｃがビジターカードＣ1 を検出しなくなった時点でモータＭの正転は停止される。このとき、センサ３３ａ〜３３ｃは、全てビジターカードＣ1 を検出しない状態となり、センサ３３ａ〜３３ｃのこのような条件を基にビジターカードＣ1 はカードスタッカ１０内に回収されたと判定される。
【００４１】
ところで、ビジターカードＣ1 に残額が記憶されている状態で遊技者が他のパチンコ台Ｐに移動することを希望する場合がある。このときは、遊技者によってテンキー４からビジターカードＣ1 の返却を希望する所定の信号が入力される。この所定の信号が入力されると（Ｓ３１２否定、Ｓ３１６肯定）、ビジターカードＣ1 は、カード挿入口７に排出されて返却される（Ｓ３１８）。すなわち、テンキー４から所定の信号が入力されると、先ず、ソレノイド１９が駆動してレバー１８が持上げられてモータＭの逆転によるカードスタッカ１０内からのビジターカードＣ1 の繰出しを無効とした状態でモータＭの逆転が開始され、この逆転はセンサ３３ｂがビジターカードＣ1 を検出しなくなるまで続けられる。センサ３３ｂがビジターカードＣ1 を検出しなくなった時点において、ビジターカードＣ1 の一部はカード挿入口７から突出した状態に置かれる。そして、遊技者がカード挿入口７からビジターカードＣ1 を抜取ると、センサ３３ａがカードを検出しなくなるので、センサ３３ａがビジターカードＣ1 を検出しなくなったことをもってビジターカードＣ1 の返却が確認される。
【００４２】
次に、ビジターカードＣ1 の返却を受けた遊技者が他のパチンコ台Ｐで遊技する場合の制御動作について説明する。この場合は、紙幣投入口２に紙幣が投入されることなく、カード挿入口７にビジターカードＣ1 が挿入される（Ｓ３００否定、Ｓ３２０肯定。図９のＳ１０４否定参照）。カード挿入口７にビジターカードＣ1 が挿入されると、センサ３３ａによりビジターカードＣ1 が検出されるので、先ず、ソレノイド１９が駆動し、次いで、モータＭがそのビジターカードＣ1 を取込むために正転が開始される（Ｓ３２２）。このモータＭの正転は、センサ３３ａがビジターカードＣ1 を検出しなくなるまで続けられる。そして、センサ３３ｂがビジターカードＣ1 を検出し、センサ３３ａ，３３ｃがビジターカードＣ1 を検出しないことをもってビジターカードＣ1 がアンテナ３４の位置に位置したと判定されて（Ｓ３２４肯定）、上述したと同様にしてビジターカードＣ1 に対するリードライト処理が行われる（Ｓ３０８、Ｓ３１０）。もちろん、このリードライト処理においては、新たな金額データの書込みは行われず、残額データの確認と、このビジターカードＣ1 が挿入されたパチンコ台の号機データ等の所定のデータの書込みが行われる。
【００４３】
なお、図１１のフローチャートでは省略されているが、ビジターカードＣ1 の残額が０になってビジターカードＣ1 がカードスタッカ１０内に回収された後も、同じパチンコ台Ｐで遊技しようとするときは、紙幣投入口２に所定の金額の紙幣を投入すると、カードスタッカ１０からビジターカードＣ1 が繰出されて、上述したと同様のビジターカードＣ1 に対するリードライト処理が行われる。また、ビジターカードＣ1 に残額がある状態で遊技を終了するときは、返却を受けたビジターカードＣ1 は（Ｓ３１８参照）、図示しない自動精算機にビジターカードＣ1 を挿入して返金を受けることができる。返金を受けたビジターカードＣ1 は、自動精算機内に回収される。
【００４４】
また、上述の例では、遊技台としてパチンコ台の例を示したが、スロットマシン等の他の遊技台であってもよいことはもちろんである。
【図面の簡単な説明】
【００４５】
【図１】本発明の一実施の形態に係るカード処理装置を組込んだパチンコ台の遊技島の一部の正面図である。
【図２】台間部の縦断面拡大図である。
【図３】ビジターカード処理ユニットの概略構成図である。
【図４】図３のＡ−Ａ線拡大断面図である。
【図５】図３のＢ−Ｂ線拡大断面図である。
【図６】メンバーカード処理ユニットの概略構成図である。
【図７】図６のＡ−Ａ線拡大断面図である。
【図８】制御器、ビジターカード及びメンバーカードの電気的構成を示すブロック図である。
【図９】制御動作を示すフローチャートである。
【図１０】制御動作を示すフローチャートである。
【図１１】制御動作を示すフローチャートである。
【符号の説明】
【００４６】
Ｐ  パチンコ台
Ｐ′  台間部
Ｃ1   ビジターカード
Ｃ2   メンバーカード
Ｍ  モータ
Ｆ  フレーム
ａ  金銭処理ユニット
ｂ  ビジターカード処理ユニット
ｃ  メンバーカード処理ユニット
ｄ  制御器
１  表示灯
２  紙幣投入口
３  表示画面
４  テンキー
５  キー穴
６  玉払出
７  ビジターカード挿入口
８  メンバーカード挿入口
１０  カードスタッカ
１１，１２  センサ
１５  アイドリングローラ
１６  繰出ローラ
１８  レバー
１９  ソレノイド
２１  搬送路
２１ａ，２１ｂ  ローラ
２２ａ，２２ｂ  ピンチローラ
３３ａ〜３３ｃ  センサ
３４，４５  アンテナ
【図１】
2005319084.tif 000003
【図２】
2005319084.tif 000004
【図３】
2005319084.tif 000005
【図４】
2005319084.tif 000006
【図５】
2005319084.tif 000007
【図６】
2005319084.tif 000008
【図７】
2005319084.tif 000009
【図８】
2005319084.tif 000010
【図９】
2005319084.tif 000011
【図１０】
2005319084.tif 000012
【図１１】
2005319084.tif 000013